(57)【特許請求の範囲】
【請求項１】
検体容器内の検体を処理する複数の検体処理装置と、
前記複数の検体処理装置のそれぞれに対応して設けられた複数の搬送ユニットを備え、各搬送ユニットを介して前記複数の検体処理装置のそれぞれに検体容器を搬送する搬送装置と、
前記複数の検体処理装置のそれぞれの検体処理動作を制御するとともに、いずれかの検体処理装置で異常が生じたこと示す第１異常発生情報を取得するための第１コンピュータ本体と、
前記第１コンピュータ本体に通信ネットワークを介して接続され、前記複数の搬送ユニットのそれぞれの搬送動作を制御するとともに、いずれかの搬送ユニットで異常が生じたことを示す第２異常発生情報を取得するための第２コンピュータ本体と、
前記第１コンピュータ本体に接続された入力部と、
前記第１コンピュータ本体に接続された表示部と、を備え、
前記第１コンピュータ本体は、第１コンピュータ本体用画面を前記表示部に表示可能であるとともに、前記通信ネットワークを介して前記第２コンピュータ本体に接続して第２コンピュータ本体用画面を前記表示部に表示可能であり、
前記第１コンピュータ本体用画面は、前記第１異常発生情報を表示する第１表示領域と、前記第１表示領域の表示内容が変化した場合にも前記第１コンピュータ本体用画面の同じ場所に常に表示される第１固定領域とを含み、前記第１固定領域の所定の場所に第１切替指示部が表示され、
前記第２コンピュータ本体用画面は、前記第２異常発生情報を表示する第２表示領域と、前記第２表示領域の表示内容が変化した場合にも前記第２コンピュータ本体用画面の同じ場所に常に表示される第２固定領域とを含み、前記第２固定領域の所定の場所に第２切替指示部が表示され、
前記第１コンピュータ本体は、
前記第１コンピュータ本体用画面が前記表示部に表示されている場合に、前記入力部によって前記第１切替指示部が操作されると、前記通信ネットワークを介して前記第２コンピュータ本体に接続し、前記第１コンピュータ本体用画面に代えて前記第２コンピュータ本体用画面を前記表示部に表示させ、
前記入力部によって前記第２コンピュータ本体用画面の前記第２切替指示部が操作されると、前記第２コンピュータ本体との接続を終了し、前記第２コンピュータ本体用画面に代えて前記第１コンピュータ本体用画面を前記表示部に表示させる、
ことを特徴とする検体処理システム。
【請求項２】
請求項１に記載の検体処理システムにおいて、
前記第１固定領域および前記第２固定領域は、前記表示部における表示画面の同じ場所に配置されている、
ことを特徴とする検体処理システム。
【請求項３】
請求項２に記載の検体処理システムにおいて、
前記第１固定領域には、前記第１切替指示部とその他の指示部が一列に並ぶように配置され、
前記第２固定領域には、前記第２切替指示部とその他の指示部が一列に並ぶように配置され、
前記第１切替指示部および前記第２切替指示部は、それぞれ、前記第１固定領域および前記第２固定領域において同じ並び方向の最も端に配置される、
ことを特徴とする検体処理システム。
【請求項４】
請求項１ないし３の何れか一項に記載の検体処理システムにおいて、
前記第１切替指示部には、前記第２コンピュータ本体を示す文字列が表示され、
前記第２切替指示部には、前記第１コンピュータ本体を示す文字列が表示される、
ことを特徴とする検体処理システム。
【請求項５】
請求項１ないし４の何れか一項に記載の検体処理システムにおいて、
前記第１固定領域および前記第２固定領域は、ツールバー領域である、
ことを特徴とする検体処理システム。
【請求項６】
請求項１ないし５の何れか一項に記載の検体処理システムにおいて、
前記第１コンピュータ本体および前記第２コンピュータ本体は、前記搬送装置を支持する台車の内部に収納されている、
ことを特徴とする検体処理システム。
【請求項７】
請求項１ないし６の何れか一項に記載の検体処理システムにおいて、
前記入力部および前記表示部を含むタッチパネル式の表示装置を備える、
ことを特徴とする検体処理システム。
【請求項８】
請求項１ないし７の何れか一項に記載の検体処理システムにおいて、
前記第１コンピュータ本体は、前記表示部に前記第１コンピュータ本体用画面を表示させているときに、前記第２コンピュータ本体の状態を監視し、その監視結果を前記第１コンピュータ本体用画面に表示させる、
ことを特徴とする検体処理システム。
【請求項９】
請求項８に記載の検体処理システムにおいて、
前記第２コンピュータ本体は、当該第２コンピュータ本体が前記搬送装置の異常を検知すると、その旨を示す異常信号を前記第１コンピュータ本体に送信し、
前記第１コンピュータ本体は、前記表示部に前記第１コンピュータ本体用画面を表示しているときに、前記第２コンピュータ本体から異常信号を受信すると、前記第２コンピュータ本体が異常を検知したことを示す異常情報を前記第１コンピュータ本体用画面に表示させる、
ことを特徴とする検体処理システム。
【請求項１０】
請求項９に記載の検体処理システムにおいて、
前記第１コンピュータ本体は、第１オーディオ端子を備え、
前記第２コンピュータ本体は、第１オーディオ端子とケーブルで接続可能な第２オーディオ端子を備え、
前記第２コンピュータ本体は、当該第２コンピュータ本体が前記搬送装置の異常を検知すると、音声信号を第２オーディオ端子から第１オーディオ端子に出力するように構成されており、
前記第１コンピュータ本体は、前記表示部に前記第１コンピュータ本体用画面が表示されているときに、第１オーディオ端子を介して前記第２コンピュータ本体から音声信号が入力されると、前記第２コンピュータ本体が前記搬送装置の異常を検出したことを示す異常情報を前記第１コンピュータ本体用画面に表示させる、
ことを特徴とする検体処理システム。
【請求項１１】
請求項１ないし１０の何れか一項に記載の検体処理システムにおいて、
前記複数の検体処理装置のそれぞれは、試薬を用いて検体を測定する測定ユニットであり、
前記第１コンピュータ本体用画面の前記第１表示領域は、各測定ユニットにおいてユーザが試薬交換動作を行う際に使用される領域を含む、
ことを特徴とする検体処理システム。
【請求項１２】
請求項１ないし１１の何れか一項に記載の検体処理システムにおいて、
前記第１コンピュータ本体は、前記第１コンピュータ本体用画面の前記第１表示領域に、前記第１異常発生情報に基づいて前記異常が生じた検体処理装置を識別可能に表示する、
ことを特徴とする検体処理システム。
【請求項１３】
請求項１ないし１２の何れか一項に記載の検体処理システムにおいて、
前記第２コンピュータ本体は、前記第２コンピュータ本体用画面の前記第２表示領域に、前記搬送装置が設置された施設における各搬送ユニットの配置を表示するとともに、前記第２異常発生情報に基づいて前記異常が生じた搬送ユニットを識別可能に表示する、
ことを特徴とする検体処理システム。
【請求項１４】
請求項１ないし１３の何れか一項に記載の検体処理システムにおいて、
前記複数の検体処理装置、前記搬送装置、前記第１コンピュータ本体、前記第２コンピュータ本体、前記入力部および前記表示部が一の検査室に設置される、
ことを特徴とする検体処理システム。
【発明の詳細な説明】
【技術分野】
【０００１】
本発明は、複数の検体処理装置により検体の処理を行う検体処理システムに関する。
【背景技術】
【０００２】
従来、搬送装置によって複数の検体処理装置に検体を搬送する検体処理システムが知られている。
【０００３】
たとえば、以下の特許文献１には、検体の測定オーダを管理するホストコンピュータと、血液試料を測定する複数の測定ユニットと、これら測定ユニットに試料容器を搬送する試料搬送装置と、ホストコンピュータから受信した測定オーダに基づいて試料搬送装置の搬送動作を制御するシステム制御装置と、測定ユニットから出力された測定データを処理し、血液試料の分析結果を表示するとともにホストコンピュータに送信する情報処理ユニットと、を備えた血液試料分析システムが開示されている。情報処理ユニットおよびシステム制御装置には、それぞれ、ユーザが操作するためのキーボード等の入力部と、画像表示部と、コンピュータ本体とが設けられている。これら入力部および画像表示部とコンピュータ本体との組み合わせにより、それぞれ、情報処理ユニットとシステム制御装置が構成される。また、複数の情報処理ユニットがシステム内に設置される場合もある。
【先行技術文献】
【特許文献】
【０００４】
【特許文献１】特開２０１０−３８６５９号公報
【発明の概要】
【発明が解決しようとする課題】
【０００５】
上記特許文献１に記載のような分析システムが設置される検査室においては、情報処理ユニットとシステム制御装置がユーザによってあまり操作されない場合がある。この場合、上記特許文献１に記載の血液試料分析システムでは、使用頻度が少ないにも拘わらず、情報処理ユニットおよびシステム制御装置のそれぞれに設けられた入力部および画像表示部によって検査室のスペースが制限されてしまうという問題が生じる。
【０００６】
本発明は、かかる課題に鑑みてなされたものであり、検査室のスペースを有効に活用することができる検体処理システムを提供することを目的とする。
【課題を解決するための手段】
【０００７】
本発明の第１の態様は、検体処理システムに関する。本態様に係る検体処理システムは、検体容器内の検体を処理する複数の検体処理装置と、前記複数の検体処理装置のそれぞれに対応して設けられた複数の搬送ユニットを備え、各搬送ユニットを介して前記複数の検体処理装置のそれぞれに検体容器を搬送する搬送装置と、前記複数の検体処理装置のそれぞれの検体処理動作を制御するとともに、いずれかの検体処理装置で異常が生じたこと示す第１異常発生情報を取得するための第１コンピュータ本体と、前記第１コンピュータ本体に通信ネットワークを介して接続され、前記複数の搬送ユニットのそれぞれの搬送動作を制御するとともに、いずれかの搬送ユニットで異常が生じたことを示す第２異常発生情報を取得するための第２コンピュータ本体と、前記第１コンピュータ本体に接続された入力部と、前記第１コンピュータ本体に接続された表示部と、を備える。ここで、前記第１コンピュータ本体は、第１コンピュータ本体用画面を前記表示部に表示可能であるとともに、前記通信ネットワークを介して前記第２コンピュータ本体に接続して第２コンピュータ本体用画面を前記表示部に表示可能であり、前記第１コンピュータ本体用画面は、前記第１異常発生情報を表示する第１表示領域と、前記第１表示領域の表示内容が変化した場合にも前記第１コンピュータ本体用画面の同じ場所に常に表示される第１固定領域とを含み、前記第１固定領域の所定の場所に第１切替指示部が表示され、前記第２コンピュータ本体用画面は、前記第２異常発生情報を表示する第２表示領域と、前記第２表示領域の表示内容が変化した場合にも前記第２コンピュータ本体用画面の同じ場所に常に表示される第２固定領域とを含み、前記第２固定領域の所定の場所に第２切替指示部が表示される。そして、前記第１コンピュータ本体は、前記第１コンピュータ本体用画面が前記表示部に表示されている場合に、前記入力部によって前記第１切替指示部が操作されると、前記通信ネットワークを介して前記第２コンピュータ本体に接続し、前記第１コンピュータ本体用画面に代えて前記第２コンピュータ本体用画面を前記表示部に表示させ、前記入力部によって前記第２コンピュータ本体用画面の前記第２切替指示部が操作されると、前記第２コンピュータ本体との接続を終了し、前記第２コンピュータ本体用画面に代えて前記第１コンピュータ本体用画面を前記表示部に表示させる。
【０００８】
本態様に係る検体処理システムによれば、第１および第２コンピュータ本体のそれぞれに対して入力部および表示部を設ける必要がなく、その分、検査室のスペースを有効に活用することができる。また、第１コンピュータ本体用画面から第２コンピュータ本体用画面に切り替えた後、第２コンピュータ本体用画面から、再度、第１コンピュータ本体用画面に切り替えることができるため、ユーザの操作性を向上させることができる。
【００１２】
また、本態様に係る検体処理システムにおいて、前記第１コンピュータ本体および前記第２コンピュータ本体は、前記搬送装置を支持する台車の内部に収納されている構成とされ得る。こうすると、検査室内に、より広いスペースを確保することができる。
【００１３】
また、本態様に係る検体処理システムは、前記入力部および前記表示部を含むタッチパネル式の表示装置を備える構成とされ得る。こうすると、検体処理システムにキーボード等の入力装置を設ける必要がないため、検査室内に、より広いスペースを確保することができる。
【００１４】
また、本態様に係る検体処理システムにおいて、前記第１コンピュータ本体は、前記表示部に前記第１コンピュータ本体用画面を表示させているときに、前記第２コンピュータ本体の状態を監視し、その監視結果を前記第１コンピュータ本体用画面に表示させる構成とされ得る。こうすると、たとえば第２コンピュータ本体の操作を行うべき事態が生じた場合に、ユーザに第２コンピュータ本体用画面への切り替えを促すことが可能となる。
【００１５】
この場合に、前記第２コンピュータ本体は、当該第２コンピュータ本体が前記搬送装置の異常を検知すると、その旨を示す異常信号を前記第１コンピュータ本体に送信し、前記第１コンピュータ本体は、前記表示部に前記第１コンピュータ本体用画面を表示しているときに、前記第２コンピュータ本体から異常信号を受信すると、前記第２コンピュータ本体が異常を検知したことを示す異常情報を前記第１コンピュータ本体用画面に表示させる構成とされ得る。こうすると、ユーザは、第１コンピュータ本体用画面を表示させている間であっても、第２コンピュータ本体が搬送装置の異常を検知したことを知ることができ
るため、すぐに搬送装置のメンテナンスを行うことができる。
【００１６】
この場合に、前記第１コンピュータ本体は、第１オーディオ端子を備え、前記第２コンピュータ本体は、第１オーディオ端子とケーブルで接続可能な第２オーディオ端子を備える構成とされ得る。ここで、前記第２コンピュータ本体は、当該第２コンピュータ本体が前記搬送装置の異常を検知すると、音声信号を第２オーディオ端子から第１オーディオ端子に出力するように構成されており、前記第１コンピュータ本体は、前記表示部に前記第１コンピュータ本体用画面が表示されているときに、第１オーディオ端子を介して前記第２コンピュータ本体から音声信号が入力されると、前記第２コンピュータ本体が前記搬送装置の異常を検出したことを示す異常情報を前記第１コンピュータ本体用画面に表示させる構成とされ得る。こうすると、第１コンピュータ本体が、第１オーディオ端子を介して音声信号を受信するだけで、第１コンピュータ本体用画面に異常情報が表示される。このため、簡易な構成で、ユーザは第２コンピュータ本体が搬送装置の異常を検知したことを知ることができる。
【００１７】
また、本態様に係る検体処理システムにおいて、前記複数の検体処理装置のそれぞれは、試薬を用いて検体を測定する測定ユニットであり、前記第１コンピュータ本体用画面の前記第１表示領域は、前記測定ユニットにおいてユーザが試薬交換動作を行う際に使用される領域を含む構成とされ得る。
【００１８】
また、本態様に係る検体処理システムにおいて、前記第１コンピュータ本体は、前記第１コンピュータ本体用画面の前記第１表示領域に、前記第１異常発生情報に基づいて前記異常が生じた検体処理装置を識別可能に表示する構成とされ得る。こうすると、ユーザは、表示部を参照しながら、検体処理装置側で発生した異常を把握することができる。
【００１９】
また、本態様に係る検体処理システムにおいて、前記第２コンピュータ本体は、前記第２コンピュータ本体用画面の前記第２表示領域に、前記搬送装置が設置された施設における各搬送ユニットの配置を表示するとともに、前記第２異常発生情報に基づいて前記異常が生じた搬送ユニットを識別可能に表示する構成とされ得る。こうすると、ユーザは、表示部を参照しながら、搬送装置側で発生した異常を把握することができる。
【発明の効果】
【００２６】
以上のとおり、本発明によれば、検査室のスペースを有効に活用することができる検体処理システムを提供することができる。
【００２７】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２８】
【図１】実施の形態に係る検体処理システムを上側から見た場合の構成を模式的に示す図である。
【図２】実施の形態に係る検体処理システムを正面から見た場合の構成を模式的に示す図である。
【図３】実施の形態に係る検体処理システムのユニットおよび装置の相互の接続関係を模式的に示す図である。
【図４】実施の形態に係る情報処理ユニットおよび搬送コントローラの回路構成を示す図である。
【図５】実施の形態に係る表示入力部に表示される情報処理ユニットのコンピュータ本体用のメニュー画面を示す図である。
【図６】実施の形態に係るエラー対処画面が開かれている状態の情報処理ユニットのメニュー画面を示す図である。
【図７】実施の形態に係る試薬交換画面が開かれている状態の情報処理ユニットのメニュー画面を示す図である。
【図８】実施の形態に係る表示入力部に表示される搬送コントローラのコンピュータ本体用のメニュー画面を示す図である。
【図９】実施の形態に係る表示入力部の画面切替について説明する図である。
【図１０】実施の形態に係る情報処理ユニットおよび搬送コントローラにおいてリモートデスクトップの設定を行うための設定画面を示す図である。
【図１１】実施の形態に係る画面が切り替えられる場合の情報処理ユニットおよび搬送コントローラのコンピュータ本体の処理を示すフローチャートである。
【図１２】実施の形態に係る情報処理ユニットのコンピュータ本体のエラー発生処理、搬送コントローラのコンピュータ本体のエラー発生処理および情報処理ユニットのコンピュータ本体のエラー受信処理を示すフローチャートである。
【図１３】実施の形態に係るエラー通知ダイアログを示す図である。
【図１４】実施の形態に係る検体処理システムの変更例におけるユニットおよび装置の相互の接続関係を模式的に示す図である。
【図１５】実施の形態に係る検体処理システムの変更例における画面が切り替えられる場合の情報処理ユニットのコンピュータ本体の処理を示すフローチャートである。
【図１６】実施の形態に係る検体処理システムの変更例における画面が切り替えられる場合の搬送コントローラおよび情報処理ユニットのコンピュータ本体の処理を示すフローチャートである。
【発明を実施するための形態】
【００２９】
本実施の形態は、血液に関する検査および分析を行うための検体処理システムに本発明を適用したものである。本実施の形態に係る検体処理システムは、３台の測定ユニットと、１台の塗抹標本作製装置を備えている。３台の測定ユニットでは、血液分析が並行して行われ、その分析結果に基づき塗抹標本の作製が必要である場合に、塗抹標本作製装置により塗抹標本が作製される。
【００３０】
以下、本実施の形態に係る検体処理システムについて、図面を参照して説明する。
【００３１】
図１は、検体処理システム１を上側から見た場合の構成を模式的に示す図である。本実施の形態に係る検体処理システム１は、投入ユニット２１と、前処理ユニット２２と、回収ユニット２３と、搬送ユニット３１〜３４と、３台の測定ユニット４１と、情報処理ユニット４２と、塗抹標本作製装置５と、搬送コントローラ６から構成されている。また、本実施の形態の検体処理システム１は、通信ネットワークを介してホストコンピュータ７と通信可能に接続されている。
【００３２】
投入ユニット２１と、前処理ユニット２２と、搬送ユニット３１〜３４と、回収ユニット２３は、検体ラックの受け渡しが可能となるように、図示の如く、左右に隣接するよう配置されている。これらのユニットは、複数の検体容器を保持可能な検体ラックが複数載置可能となるよう構成されている。
【００３３】
投入ユニット２１は、ユーザが投入した検体ラックを収容し、収容している検体ラックを前処理ユニット２２に搬出する。ユーザは、検体の測定を開始する場合、まず、検体を収容する検体容器を検体ラックにセットし、この検体ラックを投入ユニット２１に載置する。しかる後に、この検体ラックが下流側（左側）のユニットに順次搬送され、測定が行われる。
【００３４】
前処理ユニット２２は、投入ユニット２１により搬出された検体ラックを受け取る。前処理ユニット２２は、バーコードユニット（図示せず）により、投入ユニット２１により搬出された検体ラックのラックＩＤと、検体ラックの保持部に対応付けられた検体容器の検体ＩＤを読み取る。しかる後、前処理ユニット２２は、バーコードユニットにより読み取られた情報を搬送コントローラ６へ送信し、読み取りが完了した検体ラックを搬送ユニット３１に搬出する。
【００３５】
搬送ユニット３１〜３３は、図示の如く、それぞれ、３台の測定ユニット４１の前方に配置されており、搬送ユニット３４は、図示の如く、塗抹標本作製装置５の前方に配置されている。搬送ユニット３１〜３４は、それぞれ、右隣りに位置するユニットにより搬出された検体ラックを受け取り、左隣りに位置するユニットに搬出する。
【００３６】
搬送ユニット３１〜３３には、図示の如く、それぞれに対応する測定ユニット４１に検体ラックが搬送される場合と搬送されない場合とに分けて、２通りの搬送ラインが設定されている。すなわち、測定ユニット４１で測定が行われる場合は、後方のコの字型の矢印で示された“測定ライン”に沿って検体ラックが搬送される。測定ユニット４１で測定が行われず、下流側（左側）で測定または塗抹標本の作製が行われる場合は、当該測定ユニット４１をスキップするよう、前方の左向きの矢印で示された直線状の“供給ライン”に沿って検体ラックが搬送される。なお、搬送ユニット３４にも、搬送ユニット３１〜３３と同様、図示の如く、測定ラインと、供給ラインとが設定されている。
【００３７】
測定ラインは、最も奥側に左右に延びる直線領域と、この直線領域の右側部分に繋がる右槽領域と、直線領域の左側部分に繋がる左槽領域とからなる。供給ラインから右槽領域に搬入された検体ラックは、右槽領域から直線領域の右側部分に送られた後、直線領域を左に送られ、検体の測定が行われる。その後、検体ラックは、直線領域の左側部分に送られ、直線領域から左槽領域に送られる。しかる後、検体ラックは、左槽領域から供給ラインに搬出される。
【００３８】
３台の測定ユニット４１は、それぞれ前方に配置された搬送ユニット３１〜３３の測定ライン（直線領域）上の所定の位置（図中点線矢印）において、検体ラックから検体容器を抜き出して、この検体容器に収容された検体を測定ユニット４１内で測定する。測定が完了すると、測定ユニット４１は、この検体容器を再び元の検体ラックの保持部に戻す。
【００３９】
情報処理ユニット４２は、コンピュータ本体４２０と、タッチパネル式のディスプレイからなる表示入力部４２６を備えている。情報処理ユニット４２のコンピュータ本体４２０は、３台の測定ユニット４１と通信可能に接続されており、３台の測定ユニット４１の動作を制御する。また、情報処理ユニット４２のコンピュータ本体４２０は、搬送ユニット３１〜３３の後方側の一部である検体供給部３ｂ（図３参照）と通信可能に接続されており、対応する検体供給部３ｂの動作を制御する。検体供給部３ｂは、搬送ユニット３１〜３３の測定ラインのうち、右槽領域と直線領域に係る部分である。
【００４０】
また、情報処理ユニット４２のコンピュータ本体４２０の音声入力端子と、搬送コントローラ６のコンピュータ本体６００の音声出力端子とは、図中の長鎖線で示すように、音声伝達のためのアナログ信号ケーブルにより接続されている。
【００４１】
また、情報処理ユニット４２のコンピュータ本体４２０は、ホストコンピュータ７と通信ネットワークを介して通信可能に接続されている。情報処理ユニット４２のコンピュータ本体４２０は、ホストコンピュータ７に測定オーダの問い合わせを行い、問い合わせ結果に基づいて測定ユニット４１へ測定指示を行い、測定ユニット４１に検体の測定を実行させる。測定ユニット４１は、検体に対して光学測定を行うための光学検出器を有し、この光学検出器によって測定試料中の各血球から光学情報（側方蛍光信号、前方散乱光信号、側方散乱光信号）を検体のデータとして検出する。コンピュータ本体４２０は、測定ユニット４１から検体のデータを受信して解析し、赤血球数、白血球数等の解析結果をホストコンピュータ７に送信する。
【００４２】
塗抹標本作製装置５は、ホストコンピュータ７と通信ネットワークを介して通信可能に接続されている。塗抹標本作製装置５は、ホストコンピュータ７に測定オーダの問い合わせを行い、問い合わせ結果に基づいて、搬送ユニット３４の測定ライン上の所定の位置（図中点線矢印）において、検体容器に収容されている検体を吸引して、この検体の塗抹標本を作製する。
【００４３】
回収ユニット２３は、搬送ユニット３４により搬出された検体ラックを受け取り、受け取った検体ラックを後方に搬送して搬送路上に収納する。搬送路上に収納された検体ラックはユーザにより取り出され、この検体ラックの処理が終了する。
【００４４】
搬送コントローラ６は、表示部および入力部を備えておらず、コンピュータ本体６００のみを備えており、図３に示すように、コンピュータ本体６００は、ホストコンピュータ７と通信ネットワークを介して通信可能に接続されている。搬送コントローラ６のコンピュータ本体６００は、投入ユニット２１と、前処理ユニット２２と、回収ユニット２３と、搬送ユニット３１〜３３の前方側の一部である検体リレー部３ａ（図３参照）と、搬送ユニット３４の搬送動作を制御する。検体リレー部３ａは、搬送ユニット３１〜３３の供給ラインと測定ラインの左槽領域に係る部分である。
【００４５】
図２は、検体処理システム１を正面から見た場合の構成を模式的に示す図である。
【００４６】
図示の如く、投入ユニット２１と、前処理ユニット２２と、搬送ユニット３１〜３４と、回収ユニット２３は、それぞれ、台車Ｃ１〜Ｃ７の上部に設置されている。すなわち、台車Ｃ１〜Ｃ７は、これらユニットを支持している。また、台車Ｃ１、Ｃ２内の下部には、それぞれ、搬送コントローラ６のコンピュータ本体６００と、情報処理ユニット４２のコンピュータ本体４２０が収納されている。３台の測定ユニット４１と、塗抹標本作製装置５と、情報処理ユニット４２の表示入力部４２６は、台車Ｃ１〜Ｃ７よりも後方に設置されている。
【００４７】
図３は、検体処理システム１のユニットおよび装置の相互の接続関係を模式的に示す図である。
【００４８】
ここで、搬送ユニット３１〜３３は、それぞれ、検体リレー部３ａと、検体供給部３ｂに分けて図示されている。上記の如く、検体リレー部３ａは、搬送ユニット３１〜３３の供給ラインと測定ラインの左槽領域に係る部分であり、検体供給部３ｂは、搬送ユニット３１〜３３の測定ラインの右槽領域と直線領域に係る部分である。
【００４９】
集線装置１１には、投入ユニット２１と、前処理ユニット２２と、回収ユニット２３と、３台の検体リレー部３ａと、搬送ユニット３４と、搬送コントローラ６が、通信可能となるよう接続されている。集線装置１２には、３台の検体リレー部３ａと情報処理ユニッ
ト４２が、互いに通信可能となるよう接続されている。集線装置１３には、３台の検体供給部３ｂと情報処理ユニット４２が、互いに通信可能となるよう接続されている。集線装置１４には、３台の測定ユニット４１と情報処理ユニット４２が、互いに通信可能となるよう接続されている。集線装置１５には、情報処理ユニット４２と、搬送コントローラ６と、塗抹標本作製装置５と、通信ネットワークを介したホストコンピュータ７が、互いに通信可能となるよう接続されている。また、搬送コントローラ６から出力されたアナログ音声信号は、図中の長鎖線で示すように、情報処理ユニット４２に入力される。
【００５０】
図４は、情報処理ユニット４２と搬送コントローラ６の回路構成を示す図である。
【００５１】
情報処理ユニット４２は、コンピュータ本体４２０と、表示入力部４２６と、スピーカー４２７を備える。コンピュータ本体４２０は、制御部４２１と、通信インターフェース４２２と、音声インターフェース４２３と、読出装置４２４と、ハードディスク４２５を備える。
【００５２】
制御部４２１は、ＣＰＵ、ＲＯＭ、ＲＡＭ等からなり、ハードディスク４２５に記憶されているコンピュータプログラムを実行することにより、情報処理ユニット４２内の各部を制御する。また、制御部４２１には、情報処理ユニット４２内の各部から出力される信号が入力される。
【００５３】
通信インターフェース４２２は、制御部４２１から入力されるデータを外部の装置に送信し、外部の装置から入力されるデータを制御部４２１に出力する。また、通信インターフェース４２２は、図３に示したユニットおよび装置と接続されている。これにより、情報処理ユニット４２のコンピュータ本体４２０は、搬送コントローラ６のコンピュータ本体６００と通信可能に接続される。
【００５４】
音声インターフェース４２３は、音声出力端子と音声入力端子を備えている。音声インターフェース４２３は、制御部４２１から入力される音声信号（デジタル）を変換して、音声出力端子から音声信号（アナログ）を出力し、音声入力端子から入力される音声信号（アナログ）を変換して、制御部４２１に音声信号（デジタル）を出力する。音声インターフェース４２３の音声出力端子は、アナログ信号ケーブルを介してスピーカー４２７に接続されており、音声インターフェース４２３の音声入力端子は、アナログ信号ケーブルを介して搬送コントローラ６と接続されている。
【００５５】
読出装置４２４は、ＣＤドライブまたはＤＶＤドライブ等によって構成されており、記録媒体に記録されたコンピュータプログラムおよびデータを読み出すことができる。
【００５６】
ハードディスク４２５には、マイクロソフト社のオペレーティングシステム「Windows
（登録商標）」と、Windows（登録商標）上で実行可能な通信アプリケーション「リモー
トデスクトップ」と、制御部４２１で実行される種々のコンピュータプログラム等が記憶されている。また、ハードディスク４２５には、メニュー画面Ａ１（図５〜７参照）や設定画面Ａ１００（図１０（ａ）参照）、および、メニュー画面Ａ１から順次辿られる情報処理ユニット４２のコンピュータ本体４２０用の複数の階層からなる画面を表示するためのコンピュータプログラムが記憶されている。メニュー画面Ａ１およびメニュー画面Ａ１から順次辿られるコンピュータ本体４２０用の画面は、コンピュータ本体４２０の制御対象である測定ユニット４１に関する情報を表示するための画面であり、これらの画面を介してユーザは測定ユニット４１の操作を行うことができる。
【００５７】
表示入力部４２６は、タッチパネル式のディスプレイにより構成されている。表示入力部４２６は、制御部４２１から出力される映像信号に基づいて画像を表示すると共に、ユ
ーザにより表示入力部４２６の画面がタッチ（押下）されると、入力された内容を制御部４２１に出力する。スピーカー４２７は、音声インターフェース４２３から入力される音声信号（アナログ）を音声として出力する。
【００５８】
搬送コントローラ６は、コンピュータ本体６００を備える。コンピュータ本体６００は、制御部６０１と、通信インターフェース６０２と、音声インターフェース６０３と、読出装置６０４と、ハードディスク６０５を備える。なお、搬送コントローラ６は、情報処理ユニット４２から、表示入力部４２６とスピーカー４２７が除かれた構成と略同様であるため、ここでは、通信インターフェース６０２と読出装置６０４についての説明は省略する。
【００５９】
制御部６０１は、ＣＰＵ、ＲＯＭ、ＲＡＭ等からなり、ハードディスク６０５に記憶されているコンピュータプログラムを実行することにより搬送系を制御する。また、制御部４２１には、搬送系内の各部から出力される信号が入力される。
【００６０】
音声インターフェース６０３の音声出力端子は、アナログ信号ケーブルを介して情報処理ユニット４２に接続されており、音声インターフェース６０３の音声入力端子は使用されない。
【００６１】
ハードディスク６０５には、ハードディスク４２５と同様、マイクロソフト社のオペレーティングシステム「Windows（登録商標）」と、リモートデスクトップと、制御部６０
１で実行される種々のコンピュータプログラム等が記憶されている。また、ハードディスク６０５には、メニュー画面Ｂ１（図８参照）や設定画面Ｂ１００（図１０（ｂ）参照）、および、メニュー画面Ｂ１から順次辿られる搬送コントローラ６のコンピュータ本体６００用の複数の階層からなる画面を表示するためのコンピュータプログラムが記憶されている。メニュー画面Ｂ１およびメニュー画面Ｂ１から順次辿られるコンピュータ本体６００用の画面は、検体処理システム１全体に関する情報を表示するための画面であり、これらの画面を介して、ユーザは、例えば検体処理システム１のどのユニットで異常が生じているのか、投入ユニット２１に投入された検体ラック内の検体の測定進捗状況等を確認することができる。
【００６２】
図５は、表示入力部４２６に表示される情報処理ユニット４２のコンピュータ本体４２０用のメニュー画面Ａ１を示す図である。
【００６３】
メニュー画面Ａ１は、ツールバー領域Ａ１０と、メイン領域Ａ２０と、測定操作領域Ａ３０を含んでいる。
【００６４】
ツールバー領域Ａ１０は、画面切替ボタンＡ１１の他、複数のボタンを含んでいる。ツールバー領域Ａ１０は、メニュー画面Ａ１の表示内容が変化しても、また、画面がメニュー画面Ａ１からコンピュータ本体４２０用の他の階層の画面に切り替わっても、常に画面の上部に表示される。画面切替ボタンＡ１１は、ツールバー領域Ａ１０内の所定の場所に表示される。これにより、画面切替ボタンＡ１１は、コンピュータ本体４２０用の画面がどのように変化しても、表示入力部４２６上の同じ位置に常に表示される。
【００６５】
画面切替ボタンＡ１１がユーザによりタッチされると、表示入力部４２６には、メニュー画面Ａ１に代えて、搬送コントローラ６のコンピュータ本体６００用のメニュー画面Ｂ１（図８参照）が表示される。
【００６６】
メイン領域Ａ２０は、各種メニューを表示するための複数のボタンを含んでいる。ユーザは、これらボタンをタッチして情報処理ユニット４２のコンピュータ本体４２０に様々
な指示を与えることができる。
【００６７】
なお、ツールバー領域Ａ１０内の画面切替ボタンＡ１１以外のボタンと、メイン領域Ａ２０内のボタンがタッチされると、表示入力部４２６には、メニュー画面Ａ１とは異なるコンピュータ本体４２０用の他の階層の画面が表示される。たとえば、ツールバー領域Ａ１０内の“エクスプローラー”ボタン、または、メイン領域Ａ２０内の“サンプルエクスプローラー”ボタンがタッチされると、測定結果をリストで示す画面が表示される。この場合も、上記のとおり、画面切替ボタンＡ１１は、表示入力部４２６上の同じ位置に常に表示される。
【００６８】
測定操作領域Ａ３０は、３台の測定ユニット４１に対応した操作部Ｍ１〜Ｍ３を含んでいる。操作部Ｍ１〜Ｍ３は、それぞれ、図１の右端、中央、左端の測定ユニット４１に対応している。操作部Ｍ１〜Ｍ３は、同様に構成されており、ステータス通知部Ｐ１１、Ｐ２１と、エラーメッセージ表示領域Ｐ１２、Ｐ２２と、ボタンＰ３１、Ｐ３２を含んでいる。
【００６９】
ステータス通知部Ｐ１１は、対応する測定ユニット４１が正常に動作している場合には緑色に表示され、この測定ユニット４１にエラーが発生している場合には、赤色に表示される。エラーメッセージ表示領域Ｐ１２には、この測定ユニット４１にエラーが発生したときにエラーメッセージが表示される。ステータス通知部Ｐ２１は、対応する測定ユニット４１の前方に配置されている検体供給部３ｂが正常に動作している場合には緑色に表示され、この検体供給部３ｂにエラーが発生している場合には、赤色に表示される。エラーメッセージ表示領域Ｐ２２には、この検体供給部３ｂにエラーが発生したときにエラーメッセージが表示される。なお、図５では、エラーが発生していないため、ステータス通知部Ｐ１１、Ｐ２１は緑色となっており、エラーメッセージ表示領域Ｐ１２、Ｐ２２にはエラーメッセージが表示されていない。
【００７０】
なお、エラーが発生することにより、操作部Ｍ１〜Ｍ３のステータス通知部Ｐ１１、Ｐ２１が赤色に表示されると、情報処理ユニット４２のスピーカー４２７からアラーム音が出力される。
【００７１】
ボタンＰ３１は、エラー対処に用いるエラー対処画面Ｄ１（図６参照）を開くためのボタンであり、対応する測定ユニット４１にエラーが発生すると表示される。なお、図５では、測定ユニット４１にエラーが発生しておらず、何れのボタンＰ３１も表示されていない。ボタンＰ３２は、種々の処理を指定可能な操作部メニュー画面（図示せず）を開くためのボタンである。
【００７２】
図６は、エラー対処画面Ｄ１が開かれている状態のメニュー画面Ａ１を示す図である。図６は、左端の測定ユニット４１において“ＲＢＣシース液吸引異常”が発生しており、左端の検体供給部３ｂにおいて“ラック移動エラー”が発生している状態を示している。
【００７３】
操作部Ｍ３では、左端の測定ユニット４１と検体供給部３ｂにおいてエラーが発生したことにより、それぞれ、ステータス通知部Ｐ１１、Ｐ２１の色が赤色となっている。また、エラーメッセージ表示領域Ｐ１２、Ｐ２２には、エラーメッセージが表示されている。また、左端の測定ユニット４１においてエラーが発生したことにより、エラー警告を示すアイコンを含むボタンＰ３１が表示されている。
【００７４】
ここで、ボタンＰ３１が表示されているときに、ユーザによりボタンＰ３１がタッチされると、ボタンＰ３１が含まれている操作部Ｍ３の上方に、図示の如く、エラー対処画面Ｄ１が表示される。ユーザは、エラー対処画面Ｄ１を介して情報処理ユニット４２に指示
入力することにより、左端の測定ユニット４１に発生しているエラーの対処を行うことができる。
【００７５】
なお、エラー対処画面Ｄ１は、エラーメッセージリストＤ１１とボタンＤ１２を含んでいる。エラーメッセージリストＤ１１には、エラー内容が表示されており、複数のエラーが同時に発生している場合には、複数のエラー内容が表示される。また、図６に示すように、試薬不足によりエラーが発生した場合には、ユーザによりボタンＤ１２がタッチされると、エラー発生の元となった測定ユニット４１（この場合は左端の測定ユニット４１）の試薬を交換するための試薬交換画面Ｄ２（図７参照）が表示される。
【００７６】
また、右端と中央の測定ユニット４１にエラーが発生した場合も、ユーザは、操作部Ｍ１、Ｍ２内に表示されているボタンＰ３１をタッチして、エラー対処画面Ｄ１を操作部Ｍ１、Ｍ２の上方に表示させ、かかるエラー対処画面Ｄ１を介してエラーの対処を行うことができる。
【００７７】
図７は、試薬交換画面Ｄ２が開かれている状態のメニュー画面Ａ１を示す図である。
【００７８】
操作部Ｍ１〜Ｍ３のボタンＰ３２が、ユーザによりタッチされると、それぞれ、操作部Ｍ１〜Ｍ３の上方に、種々の処理を指定可能な操作部メニュー画面（図示せず）が表示される。ユーザは、この操作部メニュー画面を介して試薬交換を行う指示を入力すると、操作部メニュー画面に代えて試薬交換画面Ｄ２が表示される。図７では、左端の測定ユニット４１の試薬を交換するための試薬交換画面Ｄ２が表示されている状態が示されている。試薬交換画面Ｄ２には、測定ユニット４１内で用いられる１１種類の試薬の状態を示す１１個の領域が設定されている。
【００７９】
なお、上述したように、試薬不足に基づくエラー対処画面Ｄ１が表示されているときに、エラー対処画面Ｄ１のボタンＤ１２がタッチされた場合も試薬交換画面Ｄ２が表示される。
【００８０】
図８は、表示入力部４２６に表示される搬送コントローラ６のコンピュータ本体６００用のメニュー画面Ｂ１を示す図である。この画面は、画面切替ボタンＡ１１（図５参照）が押されたときに表示される。
【００８１】
メニュー画面Ｂ１は、ツールバー領域Ｂ１０と、レイアウト領域Ｂ２０と、状態表示領域Ｂ３０を含んでいる。
【００８２】
ツールバー領域Ｂ１０は、画面切替ボタンＢ１１の他、複数のボタンを含んでいる。ツールバー領域Ｂ１０は、メニュー画面Ｂ１の表示内容が変化しても、また、画面がメニュー画面Ｂ１からコンピュータ本体６００用の他の階層の画面に切り替わっても、常に画面の上部に表示される。画面切替ボタンＢ１１は、ツールバー領域Ｂ１０内の所定の場所に表示される。これにより、画面切替ボタンＢ１１は、コンピュータ本体６００用の画面がどのように変化しても、表示入力部４２６上の同じ位置に常に表示される。
【００８３】
画面切替ボタンＢ１１がユーザによりタッチされると、表示入力部４２６には、メニュー画面Ｂ１に代えて、情報処理ユニット４２のコンピュータ本体４２０用の画面（メニュー画面Ａ１等）が表示される。
【００８４】
なお、ツールバー領域Ｂ１０内の画面切替ボタンＢ１１以外のボタンがタッチされると、表示入力部４２６には、メニュー画面Ｂ１とは異なる搬送コントローラ６のコンピュータ本体６００用の他の階層の画面が表示される。たとえば、ツールバー領域Ｂ１０内の“
エラー履歴”ボタンがタッチされると、搬送コントローラ６のコンピュータ本体６００が検知した後述するエラーの履歴を示す画面が表示される。この場合も、上記のとおり、画面切替ボタンＢ１１は、表示入力部４２６上の同じ位置に常に表示される。
【００８５】
レイアウト領域Ｂ２０には、検体処理システム１のユニットおよび装置の配置レイアウトが表示される。レイアウト領域Ｂ２０は、投入ユニット２１と、前処理ユニット２２と、回収ユニット２３と、搬送ユニット３１〜３４と、３台の測定ユニット４１と、塗抹標本作製装置５に、それぞれ対応した表示領域Ｆ２１〜Ｆ２３、Ｆ３１〜Ｆ３４、Ｆ４１ａ〜Ｆ４１ｃ、Ｆ５を含んでいる。これらのユニットおよび装置においてエラーが発生すると、対応する表示領域の色が赤色となる。図８のレイアウト領域Ｂ２０には、搬送ユニット３２、３３においてエラーが発生している状態が示されている。
【００８６】
状態表示領域Ｂ３０は、内部状態表示領域Ｂ３１と外部状態表示領域Ｂ３２を含んでいる。内部状態表示領域Ｂ３１は、レイアウト領域Ｂ２０に示すユニットおよび装置の状態を示し、外部状態表示領域Ｂ３２は、ホストコンピュータ７の状態を示している。
【００８７】
内部状態表示領域Ｂ３１は、ステータス通知部Ｂ３１ａとエラーメッセージ表示領域Ｂ３１ｂを含んでいる。ステータス通知部Ｂ３１ａは、レイアウト領域Ｂ２０に示すユニットおよび装置が、全て正常に動作している場合には緑色に表示され、１台以上のユニットおよび装置にエラーが発生している場合には、赤色に表示される。エラーメッセージ表示領域Ｂ３１ｂには、発生したエラーの種類が表示される。図８の内部状態表示領域Ｂ３１には、何れかのユニットおよび装置において“ラック送込爪異常”が発生していることが示されている。
【００８８】
また、レイアウト領域Ｂ２０に示すユニットおよび装置においてエラーが発生すると、エラーメッセージ表示領域Ｂ３１ｂの左端にエラー警告アイコンＢ３１ｃが表示される。ユーザによりエラー警告アイコンＢ３１ｃがタッチされると、エラー対処画面Ｄ１（図６参照）と同様の画面がメニュー画面Ｂ１上に表示される。ユーザは、この画面を介して何れのユニットおよび装置においてエラーが発生しているかを知ることができると共に、かかるエラーの対処を行うことができる。
【００８９】
外部状態表示領域Ｂ３２は、ステータス通知部Ｂ３２ａとエラーメッセージ表示領域Ｂ３２ｂを含んでいる。ステータス通知部Ｂ３２ａは、ホストコンピュータ７が正常に動作している場合には緑色に表示され、ホストコンピュータ７にエラーが発生している場合とホストコンピュータ７との通信にエラーが発生している場合には、赤色に表示される。エラーメッセージ表示領域Ｂ３２ｂには、発生したエラーの種類が表示される。図８の外部状態表示領域Ｂ３２には、搬送コントローラ６のコンピュータ本体６００がホストコンピュータ７と通信できないことを示す“ホスト通信異常”が発生していることが示されている。
【００９０】
なお、エラーが発生することにより、ステータス通知部Ｂ３１ａ、Ｂ３２ａが赤色に表示されると、搬送コントローラ６の音声インターフェース６０３からアラーム音を出力するための音声信号が出力され、この音声信号が、情報処理ユニット４２の音声インターフェース４２３に入力される。
【００９１】
図９は、表示入力部４２６の画面切替について説明する図である。図９（ａ）、（ｂ）では、表示入力部４２６に、それぞれ、情報処理ユニット４２のコンピュータ本体４２０用のメニュー画面Ａ１と搬送コントローラ６のコンピュータ本体６００用のメニュー画面Ｂ１が表示されている。
【００９２】
図９（ａ）を参照して、情報処理ユニット４２のコンピュータ本体４２０から出力される映像信号にはメニュー画面Ａ１が含まれている。搬送コントローラ６のコンピュータ本体６００は、最前面に位置付けられたメニュー画面Ｂ１を含む映像信号を出力することができるよう構成されている。しかしながら、本実施の形態では、コンピュータ本体６００には映像信号を表示させるための表示部が接続されていない。これにより、表示入力部４２６に、情報処理ユニット４２のコンピュータ本体４２０用のメニュー画面Ａ１のみが表示される。
【００９３】
図９（ｂ）を参照して、図９（ａ）の状態から、メニュー画面Ａ１の画面切替ボタンＡ１１がタッチされると、情報処理ユニット４２のコンピュータ本体４２０は、搬送コントローラ６のコンピュータ本体６００に対してリモートデスクトップによる通信を開始する。このとき、情報処理ユニット４２のコンピュータ本体４２０は、搬送コントローラ６のコンピュータ本体６００とリモートデスクトップによる通信を行い、図９（ｂ）に示す如く、メニュー画面Ａ１上にメニュー画面Ｂ１を重ねて表示する。これにより、表示入力部４２６には、メニュー画面Ａ１に代えてメニュー画面Ｂ１のみが表示されることになる。
【００９４】
なお、リモートデスクトップによる通信が確立すると、搬送コントローラ６では、ログオンしていたユーザがログオフされる。また、搬送コントローラ６の制御部６０１から音声インターフェース６０３に出力される音声信号（デジタル）が、さらに、通信インターフェース６０２からリモートデスクトップによる通信を介して、情報処理ユニット４２に送信される。
【００９５】
図１０（ａ）は、情報処理ユニット４２においてリモートデスクトップの設定を行うための設定画面Ａ１００を示す図である。
【００９６】
設定画面Ａ１００は、テキストボックスＡ１０１〜Ａ１０３と、ＯＫボタンＡ１１１と、キャンセルボタンＡ１１２を備えている。テキストボックスＡ１０１〜Ａ１０３は、それぞれ、リモートデスクトップの接続先である搬送コントローラ６のコンピュータ本体６００のＩＰアドレスと、搬送コントローラ６のコンピュータ本体６００にログオンするためのユーザ名と、ユーザ名に対応するパスワードを受け付ける領域である。ＯＫボタンＡ１１１がタッチされると、テキストボックスＡ１０１〜Ａ１０３の内容を含むリモートデスクトップのための設定が、情報処理ユニット４２のハードディスク４２５に記憶される。キャンセルボタンＡ１１２がタッチされると、テキストボックスＡ１０１〜Ａ１０３の内容が破棄され、設定画面Ａ１００が閉じられる。
【００９７】
ここで、情報処理ユニット４２のリモートデスクトップの設定は、検体処理システム１を検査室に設置する時にサービスマンによって設定される。サービスマンは、情報処理ユニット４２の起動画面において、まず、サービスマン用のユーザ名でログオンする。サービスマン用のユーザ名でログオンすると、次に表示されるメニュー画面Ａ１にはサービスマン用のメニューボタン（図示せず）が配される。サービスマンは、このメニューボタンを操作することにより、設定画面Ａ１００を表示入力部４２６に表示させる。こうして、サービスマンにより設定画面Ａ１００を介して設定が行われる。
【００９８】
図１０（ｂ）は、搬送コントローラ６においてリモートデスクトップの設定を行うための設定画面Ｂ１００を示す図である。
【００９９】
設定画面Ｂ１００は、テキストボックスＢ１０１〜Ｂ１０３と、ＯＫボタンＢ１１１と、キャンセルボタンＢ１１２を備えている。テキストボックスＢ１０１〜Ｂ１０３は、それぞれ、搬送コントローラ６のコンピュータ本体６００にリモートデスクトップにより接続する情報処理ユニット４２のコンピュータ本体４２０のＩＰアドレスと、搬送コントロ
ーラ６のコンピュータ本体６００にログオンするためのユーザ名と、ユーザ名に対応するパスワードを受け付ける領域である。ＯＫボタンＢ１１１がタッチされると、テキストボックスＢ１０１〜Ｂ１０３の内容を含むリモートデスクトップのための設定が、搬送コントローラ６のハードディスク６０５に記憶される。キャンセルボタンＢ１１２がタッチされると、テキストボックスＢ１０１〜Ｂ１０３の内容が破棄され、設定画面Ｂ１００が閉じられる。
【０１００】
ここで、搬送コントローラ６のリモートデスクトップの設定は、検体処理システム１の設置時にサービスマンによって設定される。サービスマンは、まず、搬送コントローラ６に表示部および入力部を一時的に接続して、ハードディスク６０５に予め記憶されている設定用のコンピュータプログラムを起動する。設定用コンピュータプログラムが起動されると、表示部に種々の設定を行うためのメニュー画面（図示せず）が表示され、サービスマンは、このメニュー画面を操作することにより、設定画面Ｂ１００を表示部に表示させる。こうして、サービスマンにより設定画面Ｂ１００を介して設定が行われる。なお、サービスマンが使用する入力部は、予め台車Ｃ１に収納されて搬送コントローラ６に接続されていても良い。
【０１０１】
このように、図１０（ａ）の設定画面Ａ１００と図１０（ｂ）の設定画面Ｂ１００を介してリモートデスクトップの設定が行われると、メニュー画面Ａ１において画面切替ボタンＡ１１が表示されるようになり、メニュー画面Ｂ１において画面切替ボタンＢ１１が表示されるようになる。そして、メニュー画面Ａ１において画面切替ボタンＡ１１がタッチされると、搬送コントローラ６のコンピュータ本体６００に対してログオン処理が行われ、表示入力部４２６にメニュー画面Ｂ１が表示されるようになる。また、メニュー画面Ｂ１において画面切替ボタンＢ１１がタッチされると、搬送コントローラ６のコンピュータ本体６００に対してログオフ処理が行われ、表示入力部４２６にメニュー画面Ａ１が表示されるようになる。なお、上記のように、画面切替ボタンＡ１１、Ｂ１１は、メニュー画面Ａ１、Ｂ１以外の情報処理ユニット４２のコンピュータ本体４２０用の画面および搬送コントローラ６のコンピュータ本体６００用の画面においても同様に表示される。
【０１０２】
次に、図１１を参照して、情報処理ユニット４２の表示入力部４２６の画面が切り替えられる場合の、情報処理ユニット４２のコンピュータ本体４２０と搬送コントローラ６のコンピュータ本体６００の処理を説明する。
【０１０３】
図１１（ａ）は、情報処理ユニット４２のコンピュータ本体４２０の処理を示すフローチャートである。
【０１０４】
情報処理ユニット４２の制御部４２１は、表示入力部４２６に情報処理ユニット４２のコンピュータ本体４２０用の画面（メニュー画面Ａ１等）が表示されているときに、搬送コントローラ６のコンピュータ本体６００用のメニュー画面Ｂ１を表示する指示を受けるまで、すなわち、ユーザにより画面切替ボタンＡ１１がタッチされるまで、処理を待機させる（Ｓ１０１）。
【０１０５】
画面切替ボタンＡ１１がタッチされると（Ｓ１０１：ＹＥＳ）、制御部４２１は、設定画面Ａ１００を介して予め行った設定に基づき、通信インターフェース４２２を介して搬送コントローラ６のコンピュータ本体６００にリモートデスクトップの接続要求を送信する（Ｓ１０２）。こうして、情報処理ユニット４２のコンピュータ本体４２０と搬送コントローラ６のコンピュータ本体６００との間で、リモートデスクトップによる通信が開始され（Ｓ１０３）、表示入力部４２６には、情報処理ユニット４２のコンピュータ本体４２０用の画面（メニュー画面Ａ１等）の代わりにメニュー画面Ｂ１が表示される。
【０１０６】
続いて、制御部４２１は、表示入力部４２６に搬送コントローラ６のコンピュータ本体６００用の画面（メニュー画面Ｂ１等）が表示されているときに、情報処理ユニット４２のコンピュータ本体４２０用の画面（メニュー画面Ａ１等）を表示する指示を受け付けるまで、すなわち、ユーザにより画面切替ボタンＢ１１がタッチされるまで、処理を待機させる（Ｓ１０４）。
【０１０７】
画面切替ボタンＢ１１がタッチされると（Ｓ１０４：ＹＥＳ）、制御部４２１は、搬送コントローラ６のコンピュータ本体６００とのリモートデスクトップによる通信を終了する（Ｓ１０５）。これにより、表示入力部４２６には、情報処理ユニット４２のコンピュータ本体４２０用の画面（メニュー画面Ａ１等）が表示される。制御部４２１は、情報処理ユニット４２に対するシャットダウン指示が行われるまで、Ｓ１０１〜Ｓ１０５の処理を繰り返し行う（Ｓ１０６）。
【０１０８】
図１１（ｂ）は、搬送コントローラ６のコンピュータ本体６００の処理を示すフローチャートである。
【０１０９】
搬送コントローラ６の制御部６０１は、通信インターフェース６０２を介して、図１１（ａ）のＳ１０２で情報処理ユニット４２のコンピュータ本体４２０から送信された接続要求を受信するまで処理を待機させる（Ｓ２０１）。制御部６０１は、接続要求を受信すると（Ｓ２０１：ＹＥＳ）、設定画面Ｂ１００を介して予め行った設定に基づき、情報処理ユニット４２のコンピュータ本体４２０の接続要求を許可する。こうして、情報処理ユニット４２のコンピュータ本体４２０と搬送コントローラ６のコンピュータ本体６００との間で、リモートデスクトップによる通信が開始される（Ｓ２０２）。なお、接続要求に含まれるユーザ名とパスワードが、設定画面Ｂ１００で設定した内容と異なる場合、接続要求が不許可となる。
【０１１０】
続いて、制御部６０１は、リモートデスクトップによる通信を介して、ユーザにより画面切替ボタンＢ１１がタッチされるまで、処理を待機させる（Ｓ２０３）。画面切替ボタンＢ１１がタッチされると（Ｓ２０３：ＹＥＳ）、制御部６０１は、情報処理ユニット４２のコンピュータ本体４２０とのリモートデスクトップによる通信を終了する（Ｓ２０４）。制御部６０１は、搬送コントローラ６に対するシャットダウン指示が行われるまで、Ｓ２０１〜Ｓ２０４の処理を繰り返し行う（Ｓ２０５）。
【０１１１】
図１２（ａ）は、情報処理ユニット４２のコンピュータ本体４２０のエラー発生処理を示すフローチャートである。なお、この処理は、情報処理ユニット４２が起動すると実行される。
【０１１２】
情報処理ユニット４２の制御部４２１は、３台の測定ユニット４１と３台の検体供給部３ｂにおいてエラーが発生したか否かを監視している（Ｓ１１１）。これらのユニットにおいてエラーが発生すると（Ｓ１１１：ＹＥＳ）、制御部４２１は、図６に例示したように、エラーが発生した箇所に対応して、ステータス通知部Ｐ１１、Ｐ２１を赤色に表示し、エラーメッセージ表示領域Ｐ１２、Ｐ２２にエラーメッセージを表示し、ボタンＰ３１を表示させる（Ｓ１１２）。また、制御部４２１は、アラーム音をスピーカー４２７から出力させる（Ｓ１１３）。これにより、表示入力部４２６に情報処理ユニット４２のコンピュータ本体４２０用の画面が表示されているときに、情報処理ユニット４２のコンピュータ本体４２０がエラーを検知すると、図６に例示したようにエラーの発生が表示されるとともに、アラーム音でエラーが報知される。
【０１１３】
なお、表示入力部４２６に搬送コントローラ６のコンピュータ本体６００用の画面が表示されているときに、情報処理ユニット４２のコンピュータ本体４２０がエラーを検知し
た場合にも、制御部４２１はアラーム音をスピーカー４２７から出力させる。これにより、表示入力部４２６に搬送コントローラ６のコンピュータ本体６００用の画面が表示されているときであっても、情報処理ユニット４２のコンピュータ本体４２０がエラーを検知したことをユーザは知ることができる。この場合、情報処理ユニット４２のコンピュータ本体４２０がエラーを検知したことを示すメッセージを搬送コントローラ６のコンピュータ本体６００用の画面に重ねて表示してもよい。
【０１１４】
ユーザによりエラーの対処が行われ、エラーが解消すると（Ｓ１１４）、処理がＳ１１５に進められる。制御部４２１は、情報処理ユニット４２に対するシャットダウン指示が行われるまで、Ｓ１１１〜Ｓ１１４の処理を繰り返し行う（Ｓ１１４）。
【０１１５】
図１２（ｂ）は、搬送コントローラ６のコンピュータ本体６００のエラー発生処理を示すフローチャートである。なお、この処理は、搬送コントローラ６が起動すると実行される。
【０１１６】
搬送コントローラ６の制御部６０１は、図８のレイアウト領域Ｂ２０に示すユニットおよび装置においてエラーが発生したか否かを監視している（Ｓ２１１）。これらのユニットおよび装置においてエラーが発生すると（Ｓ２１１：ＹＥＳ）、制御部６０１は、図８に例示したように、エラーが発生した箇所に対応して、エラー発生の表示を行う（Ｓ２１２）。また、制御部６０１は、音声インターフェース６０３の音声出力端子からアラーム音を出力するための音声信号を出力させる（Ｓ２１３）。また、情報処理ユニット４２のコンピュータ本体４２０との間でリモートデスクトップによる通信が行われている場合、アラーム音を出力するための音声信号（デジタル）が、リモートデスクトップによる通信を介して、情報処理ユニット４２のコンピュータ本体４２０に送信され、情報処理ユニット４２側のスピーカー４２７から出力される。これにより、表示入力部４２６に搬送コントローラ６のコンピュータ本体６００用の画面が表示されているときに、搬送コントローラ６のコンピュータ本体６００がエラーを検知すると図８に例示したようにエラーの発生が表示されるとともに、アラーム音でエラーが報知される。
【０１１７】
ユーザによりエラーの対処が行われ、エラーが解消すると（Ｓ２１４）、処理がＳ２１５に進められる。制御部６０１は、搬送コントローラ６に対するシャットダウン指示が行われるまで、Ｓ２１１〜Ｓ２１４の処理を繰り返し行う（Ｓ２１４）。
【０１１８】
図１２（ｃ）は、情報処理ユニット４２のコンピュータ本体４２０のエラー受信処理を示すフローチャートである。なお、この処理は、情報処理ユニット４２が起動すると実行される。
【０１１９】
情報処理ユニット４２の制御部４２１は、情報処理ユニット４２のコンピュータ本体４２０用の画面（メニュー画面Ａ１等）が表示されているときに、音声インターフェース４２３を介して、搬送コントローラ６からアラーム音を受信したかを監視している（Ｓ１２１）。ここで、情報処理ユニット４２のハードディスク４２５には、音声インターフェース４２３の音声入力端子に入力される音声を監視するためのコンピュータプログラムが記憶されている。このコンピュータプログラムは、情報処理ユニット４２が起動すると実行され、音声入力端子に所定時間に亘って音声信号が入力されるとアラーム音を受信したと判定する。なお、このコンピュータプログラムは、音声入力端子に入力された音声信号の波長や周期等を解析して入力された音声が、アラーム音であるか否かを判定するように構成されていても良い。この場合、アラーム音は、他の音声と異なる固有のパターンを持つ必要がある。
【０１２０】
制御部４２１は、搬送コントローラ６からアラーム音を受信すると（Ｓ１２１：ＹＥＳ
）、図１３に示すエラー通知ダイアログＡ４０を、情報処理ユニット４２のコンピュータ本体４２０用の画面に重ねて表示し（Ｓ１２２）、アラーム音をスピーカー４２７から出力させる（Ｓ１２３）。図１３では、情報処理ユニット４２のコンピュータ本体４２０用のメニュー画面Ａ１上にエラー通知ダイアログＡ４０が表示されている。なお、エラー通知ダイアログＡ４０に表示されるメッセージは、“画面を切り替えてエラーの確認をしてください”であっても良い。制御部４２１は、情報処理ユニット４２のシャットダウン指示が行われるまで、Ｓ１２１〜Ｓ１２３の処理を繰り返し行う（Ｓ１２４）。
【０１２１】
以上、本実施の形態によれば、情報処理ユニット４２のコンピュータ本体４２０用の画面（メニュー画面Ａ１等）と、搬送コントローラ６のコンピュータ本体６００用の画面（メニュー画面Ｂ１等）とを、情報処理ユニット４２に接続された１つの表示入力部４２６に表示させることができる。また、これら２つの画面の操作を、１つの表示入力部４２６を介して行うことができる。これにより、搬送コントローラ６に表示部と入力部（または表示入力部）を設ける必要がないため、検査室のスペースを有効に活用することができる。
【０１２２】
また、本実施の形態によれば、搬送コントローラ６に表示と入力を行うための表示部と入力部を設ける必要がないため、検体処理システム１にかかるコストを低減させることができ、環境への負担軽減を図ることができる。また、情報処理ユニット４２のコンピュータ本体４２０用の画面（メニュー画面Ａ１等）と、搬送コントローラ６のコンピュータ本体６００用の画面（メニュー画面Ｂ１等）とを切り替えるために、切替スイッチ等のハード資源を別途設ける必要がないため、切替スイッチ等を用いて画面を切り替える場合に比べ、環境への負担をより軽減させることができる。
【０１２３】
また、本実施の形態によれば、画面切替ボタンＡ１１は、情報処理ユニット４２のコンピュータ本体４２０用の画面（メニュー画面Ａ１等）内で常に所定の場所に表示され、画面切替ボタンＢ１１は、搬送コントローラ６のコンピュータ本体６００用の画面（メニュー画面Ｂ１等）内で常に所定の場所に表示される。これにより、ユーザは、容易に画面の切り替えを行うことができる。
【０１２４】
また、本実施の形態によれば、情報処理ユニット４２のコンピュータ本体４２０と搬送コントローラ６のコンピュータ本体６００は、それぞれ、台車Ｃ１、Ｃ２内に収納されているため、検査室により広いスペースを確保することができる。また、情報処理ユニット４２にはタッチパネル式の表示入力部４２６が設けられているため、キーボード等の入力装置を別途設ける必要がなく、検査室により広いスペースを確保することができる。
【０１２５】
また、本実施の形態によれば、表示入力部４２６に情報処理ユニット４２のコンピュータ本体４２０用の画面（メニュー画面Ａ１等）が表示されている場合でも、この画面に重ねて表示されるエラー通知ダイアログＡ４０と、スピーカー４２７から出力されるアラーム音とにより、ユーザは、搬送コントローラ６のコンピュータ本体６００がエラーを検知したことを知ることができる。また、表示入力部４２６に搬送コントローラ６のコンピュータ本体６００用の画面（メニュー画面Ｂ１等）が表示されている場合でも、スピーカー４２７から出力されるアラーム音により、ユーザは、情報処理ユニット４２のコンピュータ本体４２０がエラー検知したことを知ることができる。
【０１２６】
以上、本発明の実施の形態について説明したが、本発明の実施の形態はこれらに限定されるものではない。
【０１２７】
たとえば、上記実施の形態では、測定対象として血液を例示したが、尿についても測定対象とされ得る。すなわち、尿を検査する検体処理システムにも本発明を適用することが
でき、さらに、他の臨床検体を検査する臨床検体処理システムに本発明を適用することもできる。
【０１２８】
また、上記実施の形態では、表示入力部４２６に表示されているメニュー画面Ａ１等とメニュー画面Ｂ１等を相互に切り替えるために、画面切替ボタンＡ１１、Ｂ１１が用いられた。しかしながら、これに限らず、画面切替ボタンＡ１１、Ｂ１１の替わりに、切り替え先の画面を文字列で示すリンクが用いられても良い。また、リンクの替わりにアイコンが用いられても良い。
【０１２９】
また、上記実施の形態では、画面切替ボタンＡ１１がメニュー画面Ａ１内に設けられ、画面切替ボタンＢ１１がメニュー画面Ｂ１内に設けられているが、本発明はこれに限らない。たとえば、表示入力部４２６にメニュー画面が表示されているときに、メニュー画面の枠外の表示エリアに画面切替ボタンを表示させてもよい。
【０１３０】
また、上記実施の形態では、情報処理ユニット４２は、３台の測定ユニット４１を制御したが、これに限らず、３台の測定ユニット４１に加えて、塗抹標本作製装置５を制御するようにしても良い。また、情報処理ユニット４２の制御対象には、検体を測定する測定ユニット４１や、塗抹標本を作製する塗抹標本作製装置５だけでなく、検体容器を攪拌する攪拌ユニットや、検体を分注する分注ユニット等が含められても良い。
【０１３１】
また、上記実施の形態では、３台の測定ユニット４１が１台の情報処理ユニット４２により制御されたが、２台以上の情報処理ユニットにより制御されても良い。
【０１３２】
図１４は、４台の測定ユニット４１が２台の情報処理ユニットにより制御される場合の、検体処理システムのユニットおよび装置の相互の接続関係を模式的に示す図である。
【０１３３】
この場合の検体処理システムは、上記実施の形態の検体処理システム１（図３参照）から、情報処理ユニット４２が制御する１台の測定ユニット４１と、搬送ユニット３３が除かれ、情報処理ユニット４３と、情報処理ユニット４３が制御する２台の測定ユニット４１と、搬送ユニット３５、３６と、集線装置１６〜１８が加えられている。なお、図１４では、投入ユニット２１と、前処理ユニット２２と、回収ユニット２３と、搬送ユニット３４と、塗抹標本作製装置５について、便宜上、図示が省略されている。以下、図３との違いについて説明する。
【０１３４】
図１４を参照して、集線装置１１には、搬送ユニット３５、３６の検体リレー部３ａが、通信可能に接続されている。集線装置１６には、搬送ユニット３５、３６の検体リレー部３ａと、情報処理ユニット４３が、通信可能に接続されている。集線装置１７には、搬送ユニット３５、３６の検体供給部３ｂと、情報処理ユニット４３が、通信可能に接続されている。集線装置１８には、搬送ユニット３５、３６にそれぞれ対応する２台の測定ユニット４１と、情報処理ユニット４３が、互いに通信可能となるよう接続されている。集線装置１５には、情報処理ユニット４３が、通信可能に接続されている。また、情報処理ユニット４３から出力されたアナログ音声信号は、図中の長鎖線で示すように、情報処理ユニット４２に入力される。
【０１３５】
この場合も、情報処理ユニット４２の表示入力部４２６には、情報処理ユニット４２のコンピュータ本体４２０用のメニュー画面Ａ１およびその他の画面と、情報処理ユニット４３のコンピュータ本体用のメニュー画面およびその他の画面が表示される。また、情報処理ユニット４２のコンピュータ本体４２０用のメニュー画面Ａ１に配された画面切替ボタンＡ１１と、情報処理ユニット４３のコンピュータ本体用のメニュー画面に配された画面切替ボタンとにより、表示入力部４２６に表示されるメニュー画面が切り替えられる。
同様に、情報処理ユニット４２のコンピュータ本体４２０用のメニュー画面Ａ１以外の画面に配された画面切替ボタンＡ１１と、情報処理ユニット４３のコンピュータ本体用のメニュー画面以外の画面に配された画面切替ボタンとにより、表示入力部４２６に表示される画面が切り替えられる。
【０１３６】
また、この場合も、表示入力部４２６の画面が切り替えられるとき、情報処理ユニット４２、４３のコンピュータ本体の処理は、上記と同様に行われる。すなわち、情報処理ユニット４２のコンピュータ本体４２０は、図１５（ａ）に示すように、図１１（ａ）と同様の処理を行う。ただし、各ステップにおいて、リモートデスクトップの接続先は、情報処理ユニット４３のコンピュータ本体に変更される。また、情報処理ユニット４３のコンピュータ本体は、図１５（ｂ）に示すように、図１１（ｂ）と同様の処理を行う。この場合、各ステップにおいて、リモートデスクトップの接続元は、図１１（ｂ）の場合と同様、情報処理ユニット４２のコンピュータ本体４２０である。
【０１３７】
また、上記実施の形態では、情報処理ユニット４２の表示入力部４２６は、タッチパネル式のディスプレイにより構成されたが、これに替えて、マウスやキーボードからなる入力部と、ディスプレイからなる表示部とにより構成されても良い。
【０１３８】
また、上記実施の形態では、画面切替ボタンＡ１１、Ｂ１１は、情報処理ユニット４２のコンピュータ本体４２０用の画面（メニュー画面Ａ１等）と、搬送コントローラ６のコンピュータ本体６００用の画面（メニュー画面Ｂ１等）内で常に所定の場所に表示されたが、画面切替ボタンＡ１１、Ｂ１１は上記所定の場所と異なる所に表示されても良い。
【０１３９】
また、上記実施の形態では、情報処理ユニット４２は表示入力部４２６とスピーカー４２７を備え、搬送コントローラ６は表示入力部とスピーカーを備えないよう検体処理システム１が構成された。しかしながら、これに限らず、搬送コントローラ６が表示入力部とスピーカーを備え、情報処理ユニット４２が表示入力部とスピーカーを備えないよう検体処理システム１が構成されても良い。この場合、搬送コントローラ６の表示入力部に、情報処理ユニット４２のコンピュータ本体４２０用の画面（メニュー画面Ａ１等）と、搬送コントローラ６のコンピュータ本体６００用の画面（メニュー画面Ｂ１等）が表示され、この表示入力部を介して操作が行われる。
【０１４０】
この場合も、表示入力部の画面が切り替えられるとき、搬送コントローラ６のコンピュータ本体６００と情報処理ユニット４２のコンピュータ本体４２０の処理は、上記と同様に行われる。すなわち、搬送コントローラ６のコンピュータ本体６００は、図１６（ａ）に示すように、図１１（ａ）と同様の処理を行う。また、情報処理ユニット４２のコンピュータ本体４２０は、図１６（ｂ）に示すように、図１１（ｂ）と同様の処理を行う。この場合、搬送コントローラ６が表示入力部を備えるため、搬送コントローラ６のコンピュータ本体６００がリモートデスクトップの接続元となり、情報処理ユニット４２のコンピュータ本体４２０がリモートデスクトップの接続先となる。よって、図１１（ａ）、（ｂ）に比べ、図１６（ａ）、（ｂ）のＳ５０１〜Ｓ５０６、Ｓ６０１〜Ｓ６０５では、リモートデスクトップの接続元が情報処理ユニット４２のコンピュータ本体４２０から搬送コントローラ６のコンピュータ本体６００に変更され、リモートデスクトップの接続先が搬送コントローラ６のコンピュータ本体６００から情報処理ユニット４２のコンピュータ本体４２０に変更されている。
【０１４１】
また、上記実施の形態では、搬送コントローラ６のコンピュータ本体６００用の画面（メニュー画面Ｂ１等）を表示入力部４２６に表示させるために、マイクロソフト社の「リモートデスクトップ」が用いられたが、同様の機能を実現する他のソフトウェア、たとえば、シマンテック社の「pcAnywhere」が用いられても良い。
【０１４２】
また、上記実施の形態では、リモートデスクトップと、情報処理ユニット４２のコンピュータ本体４２０用の画面（メニュー画面Ａ１等）と設定画面Ａ１００を表示するためのコンピュータプログラムが、予め情報処理ユニット４２のハードディスク４２５に記憶された。しかしながら、これに限らず、これらコンピュータプログラムを記憶したＣＤまたはＤＶＤ等が、読出装置４２４から読み出され、これらコンピュータプログラムがハードディスク４２５に記憶されるようにしても良い。同様に、上記実施の形態では、リモートデスクトップと、搬送コントローラ６のコンピュータ本体６００用の画面（メニュー画面Ｂ１等）と設定画面Ｂ１００を表示するためのコンピュータプログラムが、予め搬送コントローラ６のハードディスク６０５に記憶された。しかしながら、これに限らず、これらコンピュータプログラムを記憶したＣＤまたはＤＶＤ等が、読出装置６０４から読み出され、これらコンピュータプログラムがハードディスク６０５に記憶されるようにしても良い。
【０１４３】
また、上記実施の形態では、画面切替ボタンＡ１１がタッチされたときに、情報処理ユニット４２のコンピュータ本体４２０と搬送コントローラ６のコンピュータ本体６００との間でリモートデスクトップによる通信が開始され、画面切替ボタンＢ１１がタッチされたときに、リモートデスクトップによる通信が終了された。しかしながら、これに限らず、最初に画面切替ボタンＡ１１がタッチされたときに、リモートデスクトップによる通信が開始され、次に、画面切替ボタンＢ１１がタッチされたときに、リモートデスクトップによる通信を終了せずに、表示入力部４２６から搬送コントローラ６のコンピュータ本体６００用の画面（メニュー画面Ｂ１等）を消しても良い。この場合、再度、画面切替ボタンＡ１１がタッチされると、消えていた搬送コントローラ６のコンピュータ本体６００用の画面（メニュー画面Ｂ１等）が表示入力部４２６内に再表示されるようにしても良い。
【０１４４】
また、上記実施の形態では、表示入力部４２６には、情報処理ユニット４２と搬送コントローラ６の画面のみが表示されたが、これに限らず、たとえば、他の情報処理ユニット等、他のユニット（装置）が検体処理システム１に含まれる場合は、さらに他のユニット（装置）の画面が情報処理ユニット４２の表示入力部４２６に表示されるようにしても良い。この場合、画面切替ボタンは、たとえば、画面切替可能なユニット（装置）毎に配置され、あるいは、一つの画面切替ボタンを操作すると画面切替可能なユニット（装置）がプルダウン方式で選択可能に表示されるよう構成される。また、情報処理ユニット４２の音声インターフェース４２３の音声入力端子には、たとえば、複数のユニット（装置）から出力された音声信号が並列に入力される。この場合、何れか一つのユニット（装置）でエラーが生じると、エラー通知ダイアログＡ４０が表示される。しかしながら、音声信号からは各ユニット（装置）を識別できないため、エラー通知ダイアログＡ４０において、エラーが生じたユニット（装置）は特定され得ない。このため、ユーザは、画面切替ボタンを操作して、順次、画面を切り替えることで、どのユニット（装置）でエラーが生じたかを確認する必要がある。
【０１４５】
この場合、ユニット（装置）ごとに出力する音声信号を変えて、音声信号により各ユニット（装置）を識別できるようにしても良い。情報処理ユニット４２の制御部４２１は、音声信号の違いを判別して、どのユニットおよび装置から出力された音声信号かを判定し、エラー通知ダイアログＡ４０において、エラーが生じたユニット（装置）を特定する。こうすると、ユーザは、エラーが生じたユニット（装置）を即座に知ることができる。なお、ユニット（装置）ごとに音声信号を変える方法に代えて、通信インターフェース４２２に対する通信により、ユニット（装置）毎にエラーを通知するようにしても良い。
【０１４６】
また、上記実施の形態では、表示入力部４２６に情報処理ユニット４２のコンピュータ本体４２０用の画面（メニュー画面Ａ１等）を表示させているときであっても、情報処理
ユニット４２のコンピュータ本体４２０は、搬送コントローラ６のコンピュータ本体６００が搬送ユニット３１〜３３の搬送動作異常や、ホストコンピュータ７との通信異常を検知したか否かを監視し、異常が検知されると、情報処理ユニット４２のコンピュータ本体４２０はエラー通知ダイアログＡ４０を表示入力部４２６に表示させているが、本発明はこれに限定されない。たとえば、前処理ユニット２２に検体容器内の検体量を検知する検体量検知センサが設けられている構成において、表示入力部４２６に情報処理ユニット４２のコンピュータ本体４２０用の画面が表示されているときに、搬送コントローラ６のコンピュータ本体６００が検体容器の検体量不足を検知したか否かを情報処理ユニット４２のコンピュータ本体４２０が監視し、検体量不足が検知された場合に、その旨のメッセージを表示入力部４２６に表示させてもよい。これにより、搬送コントローラ６のコンピュータ本体６００用の画面への切り替えをユーザに促し、検体量不足が生じている検体容器の確認をユーザに実行させることができる。
【０１４７】
また、上記実施の形態では、情報処理ユニット４２のコンピュータ本体４２０が実行する測定ユニット４１に関する情報処理として、検体測定動作の開始指示を測定ユニット４１に送信する処理、測定ユニット４１で検出された検体のデータを解析する処理等が挙げられているが、本発明はこれに限定されない。コンピュータ本体４２０が実行する情報処理として、測定ユニット４１による検体処理動作の条件を設定する処理などを含めることができる。
【０１４８】
また、上記の実施形態では、コンピュータ本体用の画面の例として、メニュー画面およびメニュー画面から順次辿られる画面が挙げられているが、コンピュータ本体から出力される画面であればよく、たとえばコンピュータ本体から出力されるデスクトップ画面であってもよい。
【０１４９】
この他、本発明の実施の形態は、特許請求の範囲に示された技術的思想の範囲内において、適宜、種々の変更が可能である。
【符号の説明】
【０１５０】
１  …  検体処理システム
２１  …  投入ユニット
２２  …  前処理ユニット
３１〜３３  …  搬送ユニット
４１  …  測定ユニット
４２０  …  コンピュータ本体
４２３  …  音声インターフェース
４２６  …  表示入力部
６００  …  コンピュータ本体
６０３  …  音声インターフェース
Ａ１  …  メニュー画面
Ａ１１  …  画面切替ボタン
Ａ４０  …  エラー通知ダイアログ
Ｂ１  …  メニュー画面
Ｂ１１  …  画面切替ボタン
Ｃ１、Ｃ２  …  台車
【図１】
0005714970.tif 000002
【図２】
0005714970.tif 000003
【図３】
0005714970.tif 000004
【図４】
0005714970.tif 000005
【図５】
0005714970.tif 000006
【図６】
0005714970.tif 000007
【図７】
0005714970.tif 000008
【図８】
0005714970.tif 000009
【図９】
0005714970.tif 000010
【図１０】
0005714970.tif 000011
【図１１】
0005714970.tif 000012
【図１２】
0005714970.tif 000013
【図１３】
0005714970.tif 000014
【図１４】
0005714970.tif 000015
【図１５】
0005714970.tif 000016
【図１６】
0005714970.tif 000017